【手続補正書】
【提出日】平成16年4月22日(2004.4.22)
【手続補正１】
【補正対象書類名】明細書
【補正対象項目名】発明の名称
【補正方法】変更
【補正の内容】
【発明の名称】画像送信装置、画像受信装置、画像送信方法及び画像受信方法


【手続補正２】
【補正対象書類名】明細書
【補正対象項目名】特許請求の範囲
【補正方法】変更
【補正の内容】
【特許請求の範囲】
【請求項１】
階層的符号化方式で符号化された画像情報を外部装置へ送信する画像送信装置であって、
低画質成分に対応する階層の符号化された画像情報を前記外部装置へ送信する送信手段と、
前記外部装置より前記画像情報の伝送要求を示すコマンドデータを受信する受信手段とを有し、
前記送信手段は、前記受信手段により受信されたコマンドデータに応じて高画質成分に対応する階層の符号化された画像情報を前記外部装置へ送信することを特徴とする画像送信装置。
【請求項２】
前記送信手段は、複数のプログラムの低画質成分に対応する階層の符号化された画像情報を送信し、前記コマンドデータは前記複数のプログラム中で所望する画像情報を示す情報を含むことを特徴とする請求項１に記載の画像送信装置。
【請求項３】
前記コマンドデータは所望する画質レベルを示す情報を含むことを特徴とする請求項２に記載の画像送信装置。
【請求項４】
前記コマンドデータが高画質レベルを要求していた場合、前記外部装置に所定の視聴料金の支払い指示を示す課金データを前記送信手段により送信することを特徴とする請求項３に記載の画像送信装置。
【請求項５】
前記外部装置から課金処理完了情報を示すコマンドデータを前記受信手段により受信した後、前記高画質成分に対応する階層の符号化された画像情報を前記送信手段により送信することを特徴とする請求項４に記載の画像送信装置。
【請求項６】
前記符号化された画像情報は周波数成分に変換して符号化された画像情報であり、前記低画質成分に対応する階層の符号化された画像情報とは低周波成分からなる符号化された画像情報であり、前記高画質成分に対応する階層の符号化された画像情報とは高周波成分からなる符号化された画像情報であることを特徴とする請求項１乃至５のいずれか１項に記載の画像送信装置。
【請求項７】
前記符号化された画像情報はＤＣＴ変換して符号化された画像情報であり、前記低画質成分に対応する階層の符号化された画像情報とはＤＣ成分からなる符号化された画像情報であり、前記高画質成分に対応する階層の符号化された画像情報とはＡＣ成分からなる符号化された画像情報であることを特徴とする請求項１乃至５のいずれか１項に記載の画像送信装置。
【請求項８】
階層的符号化方式で符号化された画像情報を外部装置から受信する画像受信装置であって、
低画質成分に対応する階層の符号化された画像情報を前記外部装置から受信する受信手段と、
前記受信手段により受信された画像情報を復号化する復号化手段と、
前記復号化手段により復号化された画像情報を表示する表示手段と、
画像情報の伝送要求を示すコマンドデータを前記外部装置へ送信する送信手段とを有し、
前記受信手段は、前記コマンドデータに基づいた画像情報の高画質成分に対応する階層の符号化された画像情報を前記外部装置から受信することを特徴とする画像受信装置。
【請求項９】
前記受信手段は、複数のプログラムの低画質成分に対応する階層の符号化された画像情報を受信し、前記コマンドデータは前記複数のプログラム中で所望する画像情報を示す情報を含むことを特徴とする請求項８に記載の画像受信装置。
【請求項１０】
前記コマンドデータは所望する画質レベルを示す情報を含むことを特徴とする請求項９に記載の画像受信装置。
【請求項１１】
前記コマンドデータが高画質レベルを要求していた場合、前記外部装置に所定の視聴料金の支払い指示を示す課金データを前記送信手段により送信することを特徴とする請求項１０に記載の画像受信装置。
【請求項１２】
前記外部装置から課金処理完了情報を示すコマンドデータを前記受信手段により受信した後、前記高画質成分に対応する階層の符号化された画像情報を前記送信手段により送信することを特徴とする請求項１１に記載の画像受信装置。
【請求項１３】
前記符号化された画像情報は周波数成分に変換して符号化された画像情報であり、前記低画質成分に対応する階層の符号化された画像情報とは低周波成分からなる符号化された画像情報であり、前記高画質成分に対応する階層の符号化された画像情報とは高周波成分からなる符号化された画像情報であることを特徴とする請求項８乃至１２のいずれか１項に記載の画像受信装置。
【請求項１４】
前記符号化された画像情報はＤＣＴ変換して符号化された画像情報であり、前記低画質成分に対応する階層の符号化された画像情報とはＤＣ成分からなる符号化された画像情報であり、前記高画質成分に対応する階層の符号化された画像情報とはＡＣ成分からなる符号化された画像情報であることを特徴とする請求項８乃至１２のいずれか１項に記載の画像受信装置。
【請求項１５】
階層的符号化方式で符号化された画像情報を外部装置へ送信する画像送信方法であって、
低画質成分に対応する階層の符号化された画像情報を前記外部装置へ送信し、
前記外部装置より前記画像情報の伝送要求を示すコマンドデータを受信し、
前記受信手段により受信されたコマンドデータに応じて高画質成分に対応する階層の符号化された画像情報を前記外部装置へ送信することを特徴とする画像送信方法。
【請求項１６】
階層的符号化方式で符号化された画像情報を外部装置から受信する画像受信方法であって、
低画質成分に対応する階層の符号化された画像情報を前記外部装置から受信し、
前記受信手段により受信された画像情報を復号化し、
前記復号化手段により復号化された画像情報を表示手段に表示し、
画像情報の伝送要求を示すコマンドデータを前記外部装置へ送信し、
前記コマンドデータに基づいた画像情報の高画質成分に対応する階層の符号化された画像情報を前記外部装置から受信することを特徴とする画像受信方法。
【手続補正３】
【補正対象書類名】明細書
【補正対象項目名】０００１
【補正方法】変更
【補正の内容】
【０００１】
【発明の属する技術分野】
本発明は、画像送信装置、画像受信装置、画像送信方法及び画像受信方法に関し、特に外部装置へ画像情報を符号化して送信する処理及び外部装置から符号化された画像情報を受信する処理に関するものである。


【手続補正４】
【補正対象書類名】明細書
【補正対象項目名】０００６
【補正方法】変更
【補正の内容】
【０００６】
そこで、本発明は、上記の欠点を除去するために成されたもので、画像の画質を劣化させることなく、伝送効率の向上を図った画像送信装置、画像受信装置、画像送信方法及び画像受信方法を提供することを目的とする。


【手続補正５】
【補正対象書類名】明細書
【補正対象項目名】０００７
【補正方法】変更
【補正の内容】
【０００７】
【課題を解決するための手段】
本発明の画像送信装置は、階層的符号化方式で符号化された画像情報を外部装置へ送信する画像送信装置であって、低画質成分に対応する階層の符号化された画像情報を前記外部装置へ送信する送信手段と、前記外部装置より前記画像情報の伝送要求を示すコマンドデータを受信する受信手段とを有し、前記送信手段は、前記受信手段により受信されたコマンドデータに応じて高画質成分に対応する階層の符号化された画像情報を前記外部装置へ送信することを特徴とする。
本発明の画像受信装置は、階層的符号化方式で符号化された画像情報を外部装置から受信する画像受信装置であって、画質成分に対応する階層の符号化された画像情報を前記外部装置から受信する受信手段と、記受信手段により受信された画像情報を復号化する復号化手段と、前記復号化手段により復号化された画像情報を表示する表示手段と、画像情報の伝送要求を示すコマンドデータを前記外部装置へ送信する送信手段とを有し、前記受信手段は、前記コマンドデータに基づいた画像情報の高画質成分に対応する階層の符号化された画像情報を前記外部装置から受信することを特徴とする。
本発明の画像送信方法は、階層的符号化方式で符号化された画像情報を外部装置へ送信する画像送信方法であって、画質成分に対応する階層の符号化された画像情報を前記外部装置へ送信し、記外部装置より前記画像情報の伝送要求を示すコマンドデータを受信し、前記受信手段により受信されたコマンドデータに応じて高画質成分に対応する階層の符号化された画像情報を前記外部装置へ送信することを特徴とする。
本発明の画像受信方法は、階層的符号化方式で符号化された画像情報を外部装置から受信する画像受信方法であって、画質成分に対応する階層の符号化された画像情報を前記外部装置から受信し、前記受信手段により受信された画像情報を復号化し、前記復号化手段により復号化された画像情報を表示手段に表示し、画像情報の伝送要求を示すコマンドデータを前記外部装置へ送信し、前記コマンドデータに基づいた画像情報の高画質成分に対応する階層の符号化された画像情報を前記外部装置から受信することを特徴とする。


【手続補正６】
【補正対象書類名】明細書
【補正対象項目名】０１２０
【補正方法】変更
【補正の内容】
【０１２０】
【発明の効果】
本発明によれば、低画質成分に対応する階層の符号化された画像情報を送信する画像送信装置において、画像受信装置からの伝送要求を示すコマンドデータに応じて、データレートの高い高画質成分に対応する階層の符号化された画像情報を適応的に伝送するように構成したので、通信路上の伝送効率の向上を図ることができる。
本発明の他の特徴によれば、画像受信装置側では、複数のプログラムの低画質成分に対応する階層の符号化された画像情報から所望する画像情報を、高画質成分に対応する階層の符号化された画像情報で得ることが可能となる。